(57)【要約】【課題】交流電源からの電源供給が停止された際に、制御装置が動作できる時間を確保することができる点灯装置および照明器具を提供する。【解決手段】点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路により昇圧された直流電圧を電源電圧として駆動する制御電源回路と、前記制御電源回路からの電源供給により駆動し、前記交流電源からの電源供給が停止された際に、前記バックコンバータ回路と前記昇圧チョッパ回路を同時に停止させる制御装置と、を備えた。【選択図】図１
2017084711.tif 000002
【特許請求の範囲】
【請求項１】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路により昇圧された直流電圧を電源電圧として駆動する制御電源回路と、
前記制御電源回路からの電源供給により駆動し、前記交流電源からの電源供給が停止された際に、前記バックコンバータ回路と前記昇圧チョッパ回路を同時に停止させる制御装置と、
を備えた点灯装置。
【請求項２】
前記制御装置は、前記バックコンバータ回路と前記昇圧チョッパ回路の停止後、前記昇圧チョッパ回路の電界コンデンサに充電された電荷により動作を継続する請求項１に記載の点灯装置。
【請求項３】
前記制御装置は、前記交流電源からの電源供給が停止された際に、前記光源の点灯情報をメモリに記憶させる請求項２に記載の点灯装置。
【請求項４】
前記制御装置は、前記光源の点灯情報として前記光源の点灯累積時間の情報をメモリに記憶させる請求項３に記載の点灯装置。
【請求項５】
前記制御装置は、前記光源の点灯情報として現時点における前記光源の調光状態の情報をメモリに記憶させる請求項３に記載の点灯装置。
【請求項６】
請求項１から請求項５のいずれか一項に記載の点灯装置を備えた照明器具。
【発明の詳細な説明】
【技術分野】
【０００１】
この発明は、点灯装置および照明器具に関する。
【背景技術】
【０００２】
特許文献１は、点灯装置を開示する。当該点灯装置において、昇圧チョッパ回路は、交流電源からの交流電圧を整流することにより得られた直流電圧を昇圧する。バックコンバータ回路は、昇圧チョッパ回路により昇圧された直流電圧を降圧し、降圧した直流電圧により光源を点灯させる。制御装置は、制御電源回路からの電源供給により駆動する。制御装置は、昇圧チョッパ回路の動作とバックコンバータ回路の動作とを制御する。
【先行技術文献】
【特許文献】
【０００３】
【特許文献１】特開２０１５−１５９０３６号公報
【発明の概要】
【発明が解決しようとする課題】
【０００４】
しかしながら、特許文献１に記載の点灯装置においては、交流電源からの電源供給が停止された際における昇圧チョッパ回路とバックコンバータ回路との停止順が明確化されていない。このため、交流電源からの電源供給が停止された際に、制御装置が動作できない場合がある。
【０００５】
この発明は、上述の課題を解決するためになされた。この発明の目的は、交流電源からの電源供給が停止された際に、制御装置が動作できる時間を確保することができる点灯装置および照明器具を提供することである。
【課題を解決するための手段】
【０００６】
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路により昇圧された直流電圧を電源電圧として駆動する制御電源回路と、前記制御電源回路からの電源供給により駆動し、前記交流電源からの電源供給が停止された際に、前記バックコンバータ回路と前記昇圧チョッパ回路を同時に停止させる制御装置と、を備えた。
【０００７】
この発明に係る照明器具は、上記点灯装置を備えた。
【発明の効果】
【０００８】
これらの発明によれば、交流電源からの電源供給が停止された際、バックコンバータ回路と昇圧チョッパ回路が同時に停止する。制御装置は、コンデンサに充電された電荷の供給を受ける。このため、交流電源からの電源供給が停止された際に、制御装置が動作できる時間を確保することができる。
【図面の簡単な説明】
【０００９】
【図１】この発明の実施の形態１における点灯装置を備えた照明器具の回路図である。
【図２】この発明の実施の形態１における点灯装置に対して交流電源からの電源供給が停止される際の制御装置の動作を説明するためのフローチャートである。
【図３】この発明の実施の形態１における点灯装置を備えた照明器具の制御装置の変形例を説明するための回路図である。
【図４】この発明の実施の形態１における点灯装置を備えた照明器具の制御装置の変形例の周辺を説明するための回路図である。
【発明を実施するための形態】
【００１０】
この発明を実施するための形態について添付の図面に従って説明する。なお、各図中、同一または相当する部分には、同一の符号が付される。当該部分の重複説明は適宜に簡略化または省略化される。各構成の大きさの関係は、実際と異なる場合もある。
【００１１】
実施の形態１．
図１はこの発明の実施の形態１における点灯装置を備えた照明器具の回路図である。
【００１２】
図１に示すように、照明器具１は、交流電源２に接続される。照明器具１は、光源モジュール３と点灯装置４とを備える。
【００１３】
例えば、光源モジュール３は、複数のＬＥＤ５を１列に直列に接続したモジュールである。ＬＥＤ５の各々は、無機半導体で形成されたＬＥＤ素子であるが、例えば、ＬＥＤ５の各々は、有機半導体で形成された有機ＥＬ素子でもよい。
【００１４】
点灯装置４は、整流回路６とコンデンサ７と抵抗８と抵抗９と昇圧チョッパ回路１０とバックコンバータ回路１１とランプ接続検出回路１２と制御電源回路１３と駆動回路１４と制御装置１５とを備える。
【００１５】
整流回路６は、交流電源２に接続される。整流回路６の低電位側は、接地される。コンデンサ７は、整流回路６の出力端に並列に接続される。抵抗８と抵抗９とは、直列に接続されることにより分圧回路を形成する。当該分圧回路は、コンデンサ７に並列に接続される。
【００１６】
昇圧チョッパ回路１０は、インダクタ１６と第１スイッチング素子Ｑ１とダイオード１７とコンデンサ１８と抵抗１９と抵抗２０とを備える。コンデンサ１８は電解コンデンサである。
【００１７】
インダクタ１６の一端は、整流回路６の高電位側に接続される。
【００１８】
本実施の形態において、第１スイッチング素子Ｑ１は、ＭＯＳＦＥＴである。第１スイッチング素子Ｑ１は、第１端子（本実施の形態においてはドレイン）と第２端子（本実施の形態においてはソース）と制御端子（本実施の形態においてはゲート）とを備える。
【００１９】
第１スイッチング素子Ｑ１の第１端子は、インダクタ１６の他端に接続される。第１スイッチング素子Ｑ１の第２端子は、整流回路６の低電位側に接続される。
【００２０】
ダイオード１７のアノードは、インダクタ１６の他端と第１スイッチング素子Ｑ１の第１端子との接続点に接続される。コンデンサ１８は、電解コンデンサである。コンデンサ１８の正極は、ダイオード１７のカソードに接続される。コンデンサ１８の負極は、整流回路６の低電位側に接続される。
【００２１】
抵抗１９と抵抗２０とは、直列に接続されることにより分圧回路を形成する。当該分圧回路は、コンデンサ１８に並列に接続される。
【００２２】
バックコンバータ回路１１は、第２スイッチング素子Ｑ２とダイオード２１とインダクタ２２とコンデンサ２３と検出抵抗２４とを備える。
【００２３】
第２スイッチング素子Ｑ２とダイオード２１とは、直列回路を形成する。当該直列回路は、昇圧チョッパ回路１０のコンデンサ１８と並列に接続される。
【００２４】
本実施の形態において、第２スイッチング素子Ｑ２は、ＭＯＳＦＥＴである。第２スイッチング素子Ｑ２は、第１端子（本実施の形態においてはドレイン）と第２端子（本実施の形態においてはソース）と制御端子（本実施の形態においてはゲート）とを備える。
【００２５】
第２スイッチング素子Ｑ２の第１端子は、コンデンサ１８の正極に接続される。第２スイッチング素子Ｑ２の第２端子は、ダイオード２１のカソードに接続される。ダイオード２１のアノードは、コンデンサ１８の負極に接続される。
【００２６】
インダクタ２２とコンデンサ２３と検出抵抗２４とは、この順に直列に接続して直列回路を形成する。当該直列回路は、ダイオード２１に並列に接続される。
【００２７】
ランプ接続検出回路１２は、コンデンサ２３に並列に接続される。ランプ接続検出回路１２は、抵抗２５と抵抗２６とを備える。
【００２８】
抵抗２５と抵抗２６とは、直列に接続されることにより分圧回路を形成する。当該分圧回路は、光源モジュール３に並列に接続される。
【００２９】
本実施の形態において、制御電源回路１３の電源入力端は、昇圧チョッパ回路１０の出力端に接続される。具体的には、制御電源回路１３は、コンデンサ１８の後段に接続される。
【００３０】
駆動回路１４の電源入力端は、制御電源回路１３の第１電源出力端に接続される。駆動回路１４の第１信号出力端は、第１スイッチング素子Ｑ１の制御端子に接続される。駆動回路１４の第２信号出力端は、第２スイッチング素子Ｑ２の制御端子に接続される。
【００３１】
デジタルインターフェース回路２７は、調光器２８からの調光信号の入力を受け付け得るように設けられる。
【００３２】
制御装置１５の電源入力端は、制御電源回路１３の第２電源出力端に接続される。制御装置１５の第１信号入力端は、抵抗８と抵抗９との接続点に接続される。制御装置１５の第２信号入力端は、抵抗１９と抵抗２０との接続点に接続される。制御装置１５の第３信号入力端は、第１スイッチング素子Ｑ１の第２端子に接続される。制御装置１５の第４信号入力端は、抵抗２５と抵抗２６との接続点に接続される。制御装置１５の第５信号入力端は、コンデンサ２３と検出抵抗２４との接続点に接続される。
【００３３】
例えば、壁スイッチＳＷの操作により交流電源２が投入されると、整流回路６は、交流電源２からの交流電圧を整流する。制御電源回路１３は、整流回路６により整流された直流電圧により起動する。制御電源回路１３は、駆動回路１４に電源電圧ＶＡＣＣを供給する。制御電源回路１３は、制御装置１５に電源電圧ＶＤＣＣを供給する。
【００３４】
昇圧チョッパ回路１０は、第１スイッチング素子Ｑ１を動作させることで整流回路６により整流された直流電圧を昇圧する。その結果、昇圧チョッパ回路１０は、第１出力電圧Ｖ１を出力する。第１出力電圧Ｖ１は、制御電源回路１３の電源電圧として用いられる。
【００３５】
バックコンバータ回路１１は、第２スイッチング素子Ｑ２を動作させることで第１出力電圧Ｖ１を降圧する。その結果、バックコンバータ回路１１は、第２出力電圧Ｖ２を出力する。第２出力電圧Ｖ２は、光源モジュール３の点灯に用いられる。
【００３６】
抵抗８と抵抗９とは、コンデンサ７の両端電圧を分圧する。その結果、入力電圧Ｖｉｎが生成される。抵抗１９と抵抗２０とは、コンデンサ１８の両端電圧を分圧する。その結果、検出電圧Ｖｐが生成される。抵抗２５と抵抗２６とは、コンデンサ２３の両端電圧を分圧する。その結果、検出電圧Ｖｂが生成される。
【００３７】
制御装置１５は、入力電圧Ｖｉｎの入力を受け付ける。制御装置１５は、検出電圧Ｖｐの入力を受け付ける。制御装置１５は、検出電圧Ｖｂの入力を受け付ける。
【００３８】
制御装置１５は、昇圧チョッパ回路１０に流れる電流Ｉｐを検出する。制御装置１５は、検出電圧ＶＩＬＥＤに基づいてバックコンバータ回路１１に流れる電流Ｉｂを検出する。制御装置１５は、検出電圧ＶＩＬＥＤに基づいて光源モジュール３に流れるＬＥＤ電流ＩＬＥＤを検出する。
【００３９】
制御装置１５は、ユーザーの設定により任意の異なるタイミングでＰＷＭ信号Ｓｐの出力とＰＷＭ信号Ｓｂの出力とを開始する。
【００４０】
例えば、制御装置１５は、検出電圧Ｖｐに基づいて昇圧チョッパ回路１０の出力電圧が一定値になるように、ＰＷＭ信号Ｓｐを調節する。具体的には、制御装置１５は、昇圧チョッパ回路１０の出力電圧が予め設定された昇圧目標値と一致するように、ＰＷＭ信号Ｓｐを調節する。特に、制御装置１５は、力率改善制御を行うために、いわゆる電流臨界モードまたは電流連続モード等で第１スイッチング素子Ｑ１のスイッチングを制御する。
【００４１】
ＰＷＭ信号Ｓｐは、駆動回路１４に入力される。駆動回路１４は、第１スイッチング素子Ｑ１をオンさせる為に必要な電圧までＰＷＭ信号Ｓｐを増幅して駆動信号を生成する。駆動回路１４は、当該駆動信号を第１スイッチング素子Ｑ１の制御端子に出力する。
【００４２】
第１スイッチング素子Ｑ１は、ＰＷＭ信号Ｓｐに従ってオンオフ動作を実施する。その結果、昇圧チョッパ回路１０は、所望の昇圧動作および力率改善動作を行う。
【００４３】
例えば、制御装置１５は、検出電圧ＶＩＬＥＤに基づいてＬＥＤ電流ＩＬＥＤが一定値となるように、ＰＷＭ信号Ｓｂを調節する。具体的には、制御装置１５は、バックコンバータ回路１１の出力電圧が予め設定された降圧目標値と一致するように、ＰＷＭ信号Ｓｂを調節する。
【００４４】
ＰＷＭ信号Ｓｂは、駆動回路１４に入力される。駆動回路１４は、第２スイッチング素子Ｑ２をオンさせる為に必要な電圧までＰＷＭ信号Ｓｂを増幅して駆動信号を生成する。駆動回路１４は、当該駆動信号を第２スイッチング素子Ｑ２の制御端子に出力する。
【００４５】
第２スイッチング素子Ｑ２は、ＰＷＭ信号Ｓｂに従ってオンオフ動作を実施する。その結果、バックコンバータ回路１１は、光源モジュール３の複数のＬＥＤ５を所望の明るさで点灯させる。
【００４６】
図１において、制御装置１５は、ＣＰＵ等が形成された回路基板を樹脂パッケージ等で封止した集積回路パッケージ（ＩＣパッケージ）の形態で提供される。当該集積回路パッケージには、いくつかのバリエーションが想定される。例えば、制御装置１５は、Ａ／Ｄ変換回路２９とマイコン３０とを内蔵する。
【００４７】
Ａ／Ｄ変換回路２９は、入力電圧Ｖｉｎと検出電圧Ｖｐと検出電圧Ｖｂと検出電圧ＶＩＬＥＤと電流Ｉｐとをそれぞれデジタル値に変換する。
【００４８】
マイコン３０は、メモリ、演算処理部等を内蔵する。例えば、メモリは、フラッシュメモリである。メモリは、点灯制御に必要な各種デジタル情報と制御プログラムとを記憶する。演算処理部は、Ａ／Ｄ変換回路２９を介してデジタル値に変換された各種情報とメモリに記憶された各種デジタル情報とを利用して点灯制御用の制御プログラムを実行する。
【００４９】
マイコン３０は、制御プログラムを実行することにより、第１スイッチング素子Ｑ１と第２スイッチング素子Ｑ２とのそれぞれのスイッチング制御に関するオンデューティ等の動作目標値を算出する。例えば、マイコン３０は、昇圧チョッパ回路１０において所望の昇圧電圧を得るとともに所望の力率改善制御を行うように、第１スイッチング素子Ｑ１の動作目標値を算出する。例えば、マイコン３０は、光源モジュール３の複数のＬＥＤ５において所望の明るさが得られるように、第２スイッチング素子Ｑ２の動作目標値を算出する。
【００５０】
調光器２８が操作されると、デジタルインターフェース回路２７は、調光器２８からの調光信号の入力を受け付ける。当該調光信号は、デジタルインターフェース回路２７からマイコン３０に伝達される。
【００５１】
マイコン３０は、当該調光信号に応じた調光率で光源モジュール３の複数のＬＥＤ５を点灯させるように、第２スイッチング素子Ｑ２についてオンデューティ等の動作目標値を算出する。マイコン３０は、算出した動作目標値で指定されたパルス幅、周期、デューティ等を満たすようにＰＷＭ信号ＳｐとＰＷＭ信号Ｓｂとをそれぞれ出力する。
【００５２】
本実施の形態において、壁スイッチＳＷの操作により交流電源２からの電源供給が停止された場合、制御装置１５は、バックコンバータ回路１１を停止させた後に昇圧チョッパ回路１０を停止させる。具体的には、制御装置１５は、第２スイッチング素子Ｑ２のスイッチングを停止させた後に第１スイッチング素子Ｑ１のスイッチングを停止させる。
【００５３】
次に、図２を用いて、交流電源２からの電源供給が停止される際の制御装置１５の動作を説明する。
図２はこの発明の実施の形態１における点灯装置に対して交流電源からの電源供給が停止される際の制御装置の動作を説明するためのフローチャートである。
【００５４】
ステップＳ１では、制御装置１５は、交流電源２からの電源供給が停止されたか否かを判定する。例えば、制御装置１５は、入力電圧Ｖｉｎに基づいて交流電源２からの電源供給が停止されたか否かを判定する。
【００５５】
ステップＳ１で交流電源２からの電源供給が停止されていない場合は、ステップＳ１が繰り返される。ステップＳ１で交流電源２からの電源供給が停止された場合は、ステップＳ２に進む。
【００５６】
ステップＳ２では、昇圧チョッパ回路１０およびバックコンバータ回路１１のどちらか一方またはその両方が動作している場合、演算処理のために余裕がなくメモリでの記憶ができない。そこで、制御装置１５は、バックコンバータ回路１１および昇圧チョッパ回路１０を停止させる。その後、ステップＳ３に進む。ステップＳ３では、昇圧チョッパ回路１０およびバックコンバータ回路１１の両方が停止した後、制御装置１５は、コンデンサ１８の充電電圧で動作を継続する。
【００５７】
その後、ステップＳ４に進む。ステップＳ４では、制御装置１５は、昇圧チョッパ回路１０およびバックコンバータ回路１１の両方が停止した後にコンデンサ１８に充電した電荷で複数のＬＥＤ５の点灯情報をマイコン３０に内蔵されたメモリに記憶させる。例えば、制御装置１５は、複数のＬＥＤ５の点灯の累積時間の情報をメモリに記憶させる。例えば、制御装置１５は、現時点における複数のＬＥＤ５の調光状態の情報をメモリに記憶させる。その後、動作が終了する。
【００５８】
以上で説明した実施の形態１によれば、交流電源２からの電源供給が停止された際、バックコンバータ回路１１と昇圧チョッパ回路１０が同時に停止する。制御装置１５は、コンデンサ１８に充電された電荷の供給を受ける。具体的には、コンデンサ１８の電荷が制御電源ＩＣ３２を経由してマイコン３０に供給される。このため、交流電源２からの電力の供給が停止された際に、制御装置１５が動作できる時間を確保することができる。
【００５９】
バックコンバータ回路１１と昇圧チョッパ回路１０を同時に停止させる方法としては、マイコン３０は、抵抗８と抵抗９との分圧回路で生成された入力電圧Ｖｉｎを見て、入力電圧Ｖｉｎがないと判定したら、昇圧チョッパ回路１０とバックコンバータ回路１１の各々のＰＷＭ信号Ｓｐ、Ｓｂを駆動回路１４に送ることを停止する。
【００６０】
なお、昇圧チョッパ回路１０が停止するまで、コンデンサ１８は電荷を蓄える。このため、コンデンサ１８の容量が小さくても、制御電源回路１３の動作を維持することができる。その結果、制御装置１５が動作できる時間を確保することができる。
【００６１】
また、交流電源２からの電源供給が停止された際、制御装置１５は、複数のＬＥＤ５の点灯情報をメモリに記憶させる。このため、光源モジュール３と点灯装置４との保守作業時に適切な情報を得ることができる。
【００６２】
例えば、制御装置１５は、複数のＬＥＤ５の点灯累積時間の情報をメモリに記憶させる。このため、光源モジュール３と点灯装置４との保守作業時により適切な情報を得ることができる。
【００６３】
例えば、制御装置１５は、現時点におけるＬＥＤ５の調光状態の情報をメモリに記憶させる。このため、交流電源２からの電源供給が再開された際に、現時点におけるＬＥＤ５の調光状態を基準にしてＬＥＤ５の再点灯時における調光状態を設定することができる。
【００６４】
なお、複数のＬＥＤ５の点灯累積時間の情報を外部の記憶装置に記憶させてもよい。この場合も、光源モジュール３と点灯装置４との保守作業時により適切な情報を得ることができる。
【００６５】
また、制御装置１５は、複数のマイコン３０を備えてもよい。複数のマイコン３０は、昇圧チョッパ回路１０を制御する「第１のマイコン３０」とバックコンバータ回路１１を制御する「第２のマイコン３０」とを含んでもよい。複数のマイコン３０が設けられた場合、それぞれのマイコン３０で異なるスイッチング制御開始タイミングなどを設定できるように、各マイコン３０の内部のプログラムを構築してもよい。あるいは、複数のマイコン３０が連携して動作してもよい。例えば、複数のマイコン３０が互いに通信を行い、昇圧チョッパ回路１０の駆動状態を示す信号とバックコンバータ回路１１の駆動状態を示す信号とを複数のマイコン３０の間で授受してもよい。
【００６６】
また、昇圧チョッパ回路１０を停止させた後にバックコンバータ回路１１を停止させた場合、コンデンサ１８に蓄えられた電荷をより速やかに放出することができる。その結果、制御電源回路１３への電源電圧の供給をより速やかに停止させることができる。このため、制御装置１５への電源電圧ＶＤＣＣの供給をより速やかに停止させることができる。
【００６７】
次に、図３と図４とを用いて、制御装置１５の変形例を説明する。
図３はこの発明の実施の形態１における点灯装置を備えた照明器具の制御装置の変形例を説明するための回路図である。図４はこの発明の実施の形態１における点灯装置を備えた照明器具の制御装置の変形例の周辺を説明するための回路図である。
【００６８】
図３において、制御装置１５は、制御電源回路１３、駆動回路１４等の「アナログ回路」とマイコン３０等の「デジタル回路」とを単一のＩＣパッケージに収納する。各回路は、ＩＣパッケージの内部において互いに配線接続される。この場合、駆動回路１４が制御装置１５の外側に設けられる場合と比べて、マイコン３０と駆動回路１４とを結ぶ信号送受信配線が飛躍的に短くなる。
【００６９】
制御装置１５は、制御電源回路１３の少なくとも一部を備える。例えば、制御装置１５は、受動回路部３１と制御電源ＩＣ３２とのうちの制御電源ＩＣ３２を備える。
【００７０】
ＩＣパッケージの内部において、信号送受信配線にノイズフィルタを接続してもよい。例えば、ノイズフィルタとしてコンデンサ素子を用いてもよい。この際、コンデンサ素子の一端を信号送受信配線と接続し、コンデンサ素子の他端をグランド配線と接続すればよい。
【００７１】
この場合、制御装置１５のパッケージの内部に形成された短い配線を介して、マイコン３０から駆動回路１４へとＰＷＭ信号ＳｐとＰＷＭ信号Ｓｂとを低ノイズで伝送できる。その結果、第１スイッチング素子Ｑ１と第２スイッチング素子Ｑ２とを精度よく連動させることができる。
【００７２】
図４において、制御電源回路１３は、降圧コンバータ回路である。例えば、制御電源回路１３は、バックコンバータ回路である。
【００７３】
制御電源回路１３において、受動回路部３１は、バックコンバータ回路を構成する複数の受動素子を備える。具体的には、受動素子の一方は、チョークコイルＬ１である。受動素子の他方は、コンデンサＣ１である。
【００７４】
制御電源回路１３において、制御電源ＩＣ３２は、バックコンバータ回路を構成する複数の能動素子を備える。具体的には、能動素子の一方は、インテリジェントパワーデバイスＩＰＤである。インテリジェントパワーデバイスＩＰＤは、スイッチング素子としてＭＯＳＦＥＴを内部に備える。能動素子の他方は、ダイオードＤ１である。
【００７５】
制御電源回路１３において、出力電圧は、チョークコイルＬ１とコンデンサＣ１との接続点から取り出される。当該出力電圧は、電源電圧ＶＡＣＣとして用いられる。電源電圧ＶＡＣＣは、駆動回路１４に供給される。当該出力電圧は、レギュレータＲＥＧに入力される。レギュレータＲＥＧは、当該出力電圧を降圧する。降圧された電圧は、電源電圧ＶＤＣＣとして用いられる。電源電圧ＶＤＣＣは、マイコン３０等に供給される。
【００７６】
なお、制御装置１５の変形例の一つとして、ＩＣパッケージの内部において、アナログ回路およびデジタル回路それぞれのグランド電極をＩＣパッケージの内部における共通のグランド配線（図示せず）に接続してもよい。この場合、グランド配線を短くすることができる。
【００７７】
他の変形例として、アナログ回路のグランド電極をＩＣパッケージの内部の第１グランド配線（図示せず）に接続し、デジタル回路のグランド電極をＩＣパッケージの内部において第１グランド配線と電気的に接続していない第２グランド配線（図示せず）に接続してもよい。この場合、駆動回路１４等の動作がマイコン３０の動作に影響しないようにすることができる。
【００７８】
なお、マイコン３０に代えて、デジタル信号処理装置（Ｄｉｇｉｔａｌ  Ｓｉｇｎａｌ  Ｐｒｏｃｅｓｓｅｒ：ＤＳＰ）を制御装置１５の内部に収めてもよい。制御装置１５においては、マイコン３０またはＤＳＰ等の「デジタル演算回路」が点灯装置４の点灯制御に関する演算処理を行えばよい。
【符号の説明】
【００７９】
１  照明器具、  ２  交流電源、  ３  光源モジュール、  ４  点灯装置、  ５  ＬＥＤ、  ６  整流回路、  ７  コンデンサ、  ８  抵抗、  ９  抵抗、  １０  昇圧チョッパ回路、  １１  バックコンバータ回路、  １２  ランプ接続検出回路、  １３  制御電源回路、  １４  駆動回路、  １５  制御装置、  １６  インダクタ、  １７  ダイオード、  １８  コンデンサ、  １９  抵抗、  ２０  抵抗、  ２１  ダイオード、  ２２  インダクタ、  ２３  コンデンサ、  ２４  検出抵抗、  ２５  抵抗、  ２６  抵抗、  ２７  デジタルインターフェース回路、  ２８  調光器、  ２９  Ａ／Ｄ変換回路、  ３０  マイコン、  ３１  受動回路部、  ３２  制御電源ＩＣ
【図１】
2017084711.tif 000003
【図２】
2017084711.tif 000004
【図３】
2017084711.tif 000005
【図４】
2017084711.tif 000006